(57)【特許請求の範囲】
【請求項１】
溶解炉の上方に塔体を設け、前記塔体の内部に装入されたスクラップを支持するフィンガと、該フィンガを支持するサポートビームと、該サポートビームを上下動させる複数のシリンダとからなるスクラップ予熱装置において、
前記サポートビームの塔体側に一体もしくは組立式のコの字形の同調枠を沿わせるように取り付けると共に同調枠のアーム端部を回転可能に塔体に取り付け、且つ、前記サポートビームに前記同調枠を回転可能に取り付けたことを特徴とするスクラップ予熱装置。
【請求項２】
溶解炉の上方に塔体を設け、前記塔体の内部に装入されたスクラップを支持するフィンガと、該フィンガを支持するサポートビームと、該サポートビームを上下動させる複数のシリンダとからなるスクラップ予熱装置において、
前記サポートビームの塔体側に一体もしくは組立式のコの字形の同調枠を沿わせるように取り付けると共に同調枠のアーム端部をフィンガ支軸に回転可能に取り付け、且つ、前記サポートビームに前記同調枠を回転可能に取り付けたことを特徴とするスクラップ予熱装置。
【請求項３】
溶解炉の上方に塔体を設け、前記塔体の内部に装入されたスクラップを支持するフィンガと、該フィンガを支持するサポートビームと、該サポートビームを上下動させる複数のシリンダとからなるスクラップ予熱装置において、
前記サポートビームの両端部近傍からフィンガ支軸に伸びる連結アームを取り付け、前記サポートビームに前記連結アームの端部を回転可能に取り付けると共に他端部をフィンガ支軸に回転可能に取り付けたことを特徴とするスクラップ予熱装置。
【発明の詳細な説明】
【０００１】
【発明の属する技術分野】
本発明は、溶解炉のスクラツプ予熱装置に係わる。
【０００２】
【従来の技術】
従来から、次に溶解炉に装入する金属スクラップ（以下、スクラップという）をスクラップ予熱装置内にて溶解炉の高温排ガスにより加熱し省エネを図ることが行われている。
【０００３】
このような、アーク炉等の溶解炉用のスクラップ予熱装置は、図１０に示すように、スクラップ予熱装置１００の塔体１０１の内部に使用されているフィンガ１０２は１本のサポートビーム１０３の長手方向に対して連結棒１０４を直交させて複数本並べて連結させて設けてある。また、サポートビーム１０３の両端部近傍にサポートビーム１０３を上下動させるためのシリンダ１０５を夫々に取り付けてある。また、連結棒１０４に皿バネ１０６が夫々に備えてある。この皿バネ１０６は上方からフィンガ１０２にスクラップが落下したときの衝撃を緩衝させるためのものである。さらに、フィンガ１０２は、それぞれに独立させて連結棒１０４を介してサポートビーム１０３に取り付けてある。従って、フィンガ１０２は単独に交換・修理が可能な構造になっている。
【０００４】
【発明が解決しようとする課題】
しかし、塔体１０１の内部にスクラップを装入すると、フィンガ１０２の片側のシリンダ１０５側だけに重いスクラップが偏って載ったり、フィンガ１０２を開こうとする場合に、フィンガ１０２にスクラップがからまったり、スクラップが挟まったりしてフィンガが引っかかったりする場合がある。こんな場合に、フィンガ１０２を開こうとすると油圧同調バルブの同調能力を越える偏荷重が発生してしまい、２本のシリンダ１０５等に無理な反力が作用する。そのために、片方のシリンダロッド１０６だけが先行して上昇してしまい、フィンガ１０２がねじれたり、サポートビーム１０３がねじれたり、あるいは、シリンダロッド１０６がねじれたりする。このためにフィンガ開閉機構の寿命を早めてしまうことがある。
【０００５】
また、この構造ではサポートビーム１０３を上昇させると連結棒１０４の端部１０４ａが大きな動作軌跡を描くために塔体１０１の周りに広いスペースが必要となる。
そこで、本発明は、フィンガ等のねじれを防止したり、連結棒の動作軌跡を小さく描けるような溶解炉のスクラップ予熱装置を提供することを目的とする。
【０００６】
【課題を解決するための手段、及び発明の効果】
請求項１記載のスクラップ予熱装置は、溶解炉の上方に塔体を設け、前記塔体の内部に装入されたスクラップを支持するフィンガと、該フィンガを支持するサポートビームと、該サポートビームを上下動させる複数のシリンダとからなるスクラップ予熱装置において、
前記サポートビームの塔体側に一体もしくは組立式のコの字形の同調枠を沿わせるように取り付けると共に同調枠のアーム端部を回転可能に塔体に取り付け、且つ、前記サポートビームに前記同調枠を回転可能に取り付けたことを特徴とする。
【０００７】
請求項１記載の発明によると、スクラップ予熱装置にスクラツプを装入した場合に、フィンガの片側だけに重いスクラップが偏って載ったり、フィンガを開く場合に、フィンガにスクラップがからまったり、スクラップが挟まったり、フィンガが引っかかったりして偏荷重が発生して、複数のシリンダ等に無理な反力が作用するようなことがある。しかし、本発明は、サポートビームに同調枠を沿わせるように取り付けてあるので、この同調枠が複数のシリンダを同調させながらフィンガの開閉を行なうから、片方のシリンダロッドだけが先行して上昇するようなことがなくなり、フィンガがねじれたり、サポートビームがねじれたり、あるいは、シリンダロッドがねじれたりするようなことを防止できる。このためにフィンガ駆動機構の寿命を延ばすことができる。
【０００８】
また、同調枠は、鋳物又は鍛造材の一体ものでもよいが、組立式にすると加工がし易くなる。
また、シリンダロッドが上昇する場合に、同調軸の２個の回転可能な支点とフィンガの回転可能な２個の支点とで４点支持しながら移動するから、サポートビームの上昇に追随して連結棒の端部が小さな動作軌跡を描くようになり塔体の周りに従来例のような広いスペースが不要となる。
【０００９】
請求項２記載のスクラップ予熱装置は、溶解炉の上方に塔体を設け、前記塔体の内部に装入されたスクラップを支持するフィンガと、該フィンガを支持するサポートビームと、該サポートビームを上下動させる複数のシリンダとからなるスクラップ予熱装置において、
前記サポートビームの塔体側に一体もしくは組立式のコの字形の同調枠を沿わせるように取り付けると共に同調枠のアーム端部をフィンガ支軸に回転可能に取り付け、且つ、前記サポートビームに前記同調枠を回転可能に取り付けたことを特徴とする。
【００１０】
請求項２記載の発明によると、スクラップ予熱装置にスクラツプを装入した場合に、フィンガの片側だけに重いスクラップが偏って載ったり、フィンガを開く場合に、フィンガにスクラップがからまったり、スクラップが挟まったり引っかかったりして偏荷重が発生して、複数のシリンダ等に無理な反力が作用するようなことがある。しかし、本発明は、サポートビームに同調枠を沿わせるように取り付けてあるので、この同調枠が複数のシリンダを同調させながらフィンガの開閉を行なうから、片方のシリンダロッドだけが先行して上昇するようなことがなくなり、フィンガがねじれたり、サポートビームがねじれたり、あるいは、シリンダロッドがねじれたりするようなことを防止できる。このためにフィンガ駆動機構の寿命を延ばすことができる。
【００１１】
また、同調枠は、鋳物又は鍛造材の一体ものでもよいが、組立式にすると加工がし易くなる。
請求項３記載のスクラップ予熱装置は、溶解炉の上方に塔体を設け、前記塔体の内部に装入されたスクラップを支持するフィンガと、該フィンガを支持するサポートビームと、該サポートビームを上下動させる複数のシリンダとからなるスクラップ予熱装置において、
前記サポートビームの両端部近傍からフィンガ支軸に伸びる連結アームを取り付け、前記サポートビームに前記連結アームの端部を回転可能に取り付けると共に他端部をフィンガ支軸に回転可能に取り付けたことを特徴とする。
【００１２】
請求項３記載の発明によると、スクラップ予熱装置にスクラツプを装入した場合に、フィンガの片側だけに重いスクラップが偏って載ったり、フィンガを開く場合に、フィンガにスクラップがからまったり、スクラップが挟まったり引っかかったりして偏荷重が発生して、複数のシリンダ等に無理な反力が作用するようなことがある。しかし、本発明は、サポートビームに連結アームを取り付けてあるので、このサポートビームと連結アームとが複数のシリンダを同調させながらフィンガの開閉を行うから、片方のシリンダロッドだけが先行して上昇するようなことがなくなり、フィンガがねじれたり、サポートビームがねじれたり、あるいは、シリンダロッドがねじれたりするようなことを防止できる。このためにフィンガ駆動機構の寿命を延ばすことができる。
【００１３】
【発明の実施の形態】
本発明の第１の発明の実施の形態を図に基づいて説明する。
図１はスクラップ予熱装置の要部を表す概略断面図。図２はフィンガ駆動機構の要部を表す概略正面図。図３はフィンガ駆動機構の要部を表す平面図。図４はフィンガ駆動機構の要部を表す左側側面図である。
【００１４】
次に溶解炉に装入するスクラップをスクラップ予熱装置内にて溶解炉の高温排ガスにより加熱し省エネを図るためのものである。
図１に示すように、アーク炉１の上方にスクラップ予熱装置１０が備えてある。
【００１５】
スクラップ予熱装置１０は、塔体１１の上方にスクラップの装入口１２を有すると共に、下方から上昇してくる高温排ガスの排出口１３を有し、塔体１１内にスクラップ１４を支持する観音開き動作可能なフィンガ１５が２段に設けてある。なお、フィンガ駆動機構２０は左右対称であるから片側だけで説明する。
【００１６】
図２，図３，図４に示すように、複数のフィンガ１５を支持するサポートビーム１７と、サポートビーム１７を上下動させる２本のシリンダ２８と、２本のシリンダ２８の動作を同調させる同調枠２６とで構成するフィンガ駆動機構２０により開閉可能に取り付けてある。
【００１７】
フィンガ１５の支点５０（支点Ｃ）は塔体１１にブラケツト１２を介して回転可能に取り付けてある。また、フィンガ１５の外側端部に連結棒１６の上方を支点Ｄにより回転可能に連結させてある。さらに、また、連結棒１６はサポートビーム１７の長手方向に直交させて貫通させ、複数本並べて取り付けてある。そして、その先に皿バネ１８を夫々に取り付けてある。この皿バネ１８は上方からフィンガ１５にスクラップ１４が落下したときの衝撃を緩衝させるためのものである。
【００１８】
サポートビーム１７の塔体側にサポートビーム１７に沿わせるように伸びる丸棒部２６ａの両端部から塔体１１側に伸びるアーム部２６ｂを組合わせたコの字形を形成する同調枠２６をサポートビーム１７に支点Ｂにより回転可能に取り付けてある。また、同調枠２６のアーム部２６ｂの端部を支点Ａにより回転可能にブラケット２７を介して塔体１１に取り付けてある。
【００１９】
さらに、サポートビーム１７とシリンダロッド２８ａを接続し、シリンダロッド２８ａを有するシリンダ２８を、支持台２９を介して塔体１１に取り付けてある。
第１の発明の実施の形態の動作を説明する。
【００２０】
図１に示すように、スクラップ予熱装置１０内にスクラップ１４を装入し、アーク炉１の高温排ガスによりフィンガ１５上のスクラップ１４を加熱する。次に、フィンガ１５を下方に観音開きしてアーク炉１内に加熱されたスクラップ１４を投入する。このように、スクラップ予熱装置１０内にスクラップ１４を装入した場合に、フィンガ１５の片側だけに重いスクラップ１４が偏って載ったり、フィンガ１５を開ける場合に、フィンガ１５にスクラップ１４がからまったり、挟まったり引っかかったりして偏荷重が発生することがある。すると、２本のシリンダ等に無理な反力が作用することがある。しかし、本発明の実施の形態は、サポートビーム１７に沿わせるように同調枠２６を取り付けてあるから、この同調枠２６が２本のシリンダ２８を同調させながらフィンガ１５の開閉動作を行なうから、片方のシリンダロッド２８ａだけが先行して上昇するようなことがなくなり、フィンガ１５がねじれたり、サポートビーム１７がねじれたり、あるいは、シリンダロッド２８ａがねじれたりするようなことを防止できる。このためにフィンガ駆動機構２０の寿命を延ばすことができる。
【００２１】
また、同調枠は、鋳物又は鍛造で一体ものでもよいが、組み合せ式にすると加工がし易くなる。
また、シリンダロッド２８ａが上昇する場合に、図２に示す同調枠２６の２個の回転可能な支点Ａ，Ｂとフィンガの回転可能な２個の支点Ｃ，Ｄとで４点支持をなしながら移動するから、サポートビーム１７の上昇に追随して、連結棒１６の端部が小さな動作軌跡を描くようになり塔体１１の周りに従来例のような広いスペースが不要となる。
【００２２】
第２の発明の実施の形態を図に基づいて説明する。
図５ははフィンガ駆動機構の要部を表す概略正面図。図６はフィンガ駆動機構の要部を表す平面図。図７はフィンガ駆動機構の要部を表す左側側面図である。第１の発明の実施の形態と同様のコの字形を形成する同調枠２６のアーム２６ｂの端部をフィンガ１５の支軸５０に回転可能に取り付けてある。他の構造は第１の発明の実施の形態と同であるので説明を省略する。
【００２３】
第２の発明の実施の形態の動作を説明する。
スクラップ予熱装置１０内にスクラップ１４を装入した場合に、フィンガ１５の片側だけに重いスクラップ１４が偏って載ってしまったり、フィンガ１５を開ける場合に、フィンガ１５にスクラップ１４がからまったり、スクラップ１４が挟まったりしてフィンガ１５が引っかかったりして偏荷重が発生して、２本のシリンダ２８等に無理な反力が作用することがある。しかし、本発明の実施の形態は、サポートビーム１７に沿わせるように同調枠２６が取り付けてあるので、この同調枠２６が２本のシリンダ２８を同調させながらフィンガ１５の開閉動作を行なうから、片方のシリンダロッド２８ａだけが先行して上昇するようなことがなくなり、フィンガ１５がねじれたり、サポートビーム１７がねじれたり、あるいは、シリンダロッド２８ａがねじれたりするようなことを防止できる。このためにフィンガ駆動機構２０の寿命を延ばすことができる。
【００２４】
また、同調枠は、鋳物又は鍛造で一体ものでもよいが、組み合せ式にすると加工がし易くなる。
第３の発明の実施の形態を図に基づいて説明する。
図８はフィンガ駆動機構の要部を表す概略正面図。図９はフィンガ駆動機構の要部を表す平面図。
【００２５】
サポートビーム１７の両端部近傍からフィンガ支軸５０に伸びる連結アーム５１の端部５１ａをサポートビーム１７に回転可能に取り付けると共に、他端部５１ｂをフィンガ支軸５０に回転可能に取り付けてある。他の構造は第１の発明の実施の形態と同であるので説明を省略する。
【００２６】
第３の発明の実施の形態の動作を説明する。
スクラップ予熱装置１０内にスクラップ１４を装入した場合に、フィンガ１５の片側だけに重いスクラップ１４が偏って載ったり、フィンガ１５を開ける場合に、フィンガ１５にスクラップ１４がからまったり、スクラップが挟まったりして引っかかったりして偏荷重が発生して、２本のシリンダ２８等に無理な反力が作用することがある。しかし、本発明の実施の形態は、同調アーム５１がサポートビーム１７に取り付けてあるので、サポートビーム１７を介して同調アーム５１が２本のシリンダを同調させながらフィンガ１５の開閉を行なうから、片方のシリンダロッド２８ａだけが先行して上昇するようなことがなくなり、フィンガ１５がねじれたり、サポートビーム１７がねじれたり、あるいは、シリンダロッド２８ａがねじれたりするようなことを防止できる。このためにフィンガ駆動機構の寿命を延ばすことができる。
【００２７】
以上、本発明の実施の形態について説明したが、本発明の趣旨の範囲を越えない限り種々の実施ができる。例えば、本発明の実施の形態では、アーク炉のスクラップ予熱装置で説明してあるが、スクラップを溶解する溶解炉であればどんな溶解炉にも適用できる。
【００２８】
また、観音開きのフィンガでなく片開きのフィンガにも適用できる。
【図面の簡単な説明】
【図１】  第１の発明の実施の形態のスクラップ予熱装置の要部を表す概略断面図。
【図２】  第１の発明の実施の形態のフィンガ駆動機構の要部を表す概略正面図。
【図３】  第１の発明の実施の形態のフィンガ駆動機構の要部を表す概略平面図。
【図４】  第１の発明の実施の形態のフィンガ駆動機構の要部を表す左側概略側面図。
【図５】  第２の発明の実施の形態のフィンガ駆動機構の要部を表す概略正面図。
【図６】  第２の発明の実施の形態のフィンガ駆動機構の要部を表す概略平面図。
【図７】  第２の発明の実施の形態のフィンガ駆動機構の要部を表す左側概略側面図。
【図８】  第３の発明の実施の形態のフィンガ駆動機構の要部を表す概略正面図。
【図９】  第３の発明の実施の形態のフィンガ駆動機構の要部を表す概略平面図。
【図１０】  従来例のフィンガ駆動機構の要部を表す概略正面図。
【符号の説明】
１…アーク炉、１０…スクラップ予熱装置、１１…塔体、１４…スクラップ、１５…フィンガ、１７…サポートビーム、２６…同調枠、２６ｂ…アーム、２８…シリンダ、５０…フィンガ支軸、５１…連結アーム。
【図１】
0003804230.tif 000002
【図２】
0003804230.tif 000003
【図３】
0003804230.tif 000004
【図４】
0003804230.tif 000005
【図５】
0003804230.tif 000006
【図６】
0003804230.tif 000007
【図７】
0003804230.tif 000008
【図８】
0003804230.tif 000009
【図９】
0003804230.tif 000010
【図１０】
0003804230.tif 000011